(57)【要約】【課題】消費電力が小さい発光装置を提供する。【解決手段】発光装置は、少なくとも一つの発光素子と、前記少なくとも一つの発光素子を駆動する駆動部と、少なくとも一つのセンサと、制御部と、を備える。前記制御部は、前記少なくとも一つのセンサの検知結果と発光パターンとの関係を記憶する記憶部を有し、前記少なくとも一つのセンサの検知結果に応じた前記発光パターンで前記少なくとも一つの発光素子が発光するように前記駆動部を制御する。【選択図】図１
2020042895.tif 000002
【特許請求の範囲】
【請求項１】
少なくとも一つの発光素子と、
前記少なくとも一つの発光素子を駆動する駆動部と、
少なくとも一つのセンサと、
前記少なくとも一つのセンサの検知結果と発光パターンとの関係を記憶する記憶部を有し、前記少なくとも一つのセンサの検知結果に応じた前記発光パターンで前記少なくとも一つの発光素子が発光するように前記駆動部を制御する制御部と、
を備える、発光装置。
【請求項２】
無線信号を受信する受信部をさらに備え、
前記制御部は、前記少なくとも一つのセンサの検知結果に基づき前記受信部を受信可能状態にする、請求項１に記載の発光装置。
【請求項３】
前記制御部は、前記受信部が前記無線信号を受信できた場合には前記無線信号に基づき前記駆動部を制御し、前記受信部が前記無線信号を受信できなかった場合には前記少なくとも一つのセンサの検知結果に基づき前記駆動部を制御する、請求項２に記載の発光装置。
【請求項４】
前記受信部は、受信した前記無線信号を他の発光装置に送信する送信機能を有する、請求項２又は請求項３に記載の発光装置。
【請求項５】
基板をさらに備え、
前記駆動部、前記少なくとも一つのセンサ、及び前記制御部は、前記基板の第１面に実装され、
前記受信部は、前記基板の前記第１面に対向する第２面に実装される、請求項２〜４のいずれか一項に記載の発光装置。
【請求項６】
電波を前記無線信号に変換するアンテナをさらに備え、
前記アンテナは、前記基板の前記第２面に実装される、請求項５に記載の発光装置。
【請求項７】
前記基板の前記第２面において、前記アンテナの周囲にグランドパターンが形成される、請求項６に記載の発光装置。
【請求項８】
前記基板の前記第１面において、前記アンテナ及び前記グランドパターンに対向する領域には部品が実装されない、請求項７に記載の発光装置。
【請求項９】
前記少なくとも一つのセンサは加速度センサを含み、
前記加速度センサは前記基板の前記第１面の略中央に実装される、請求項５〜８のいずれか一項に記載の発光装置。
【請求項１０】
前記少なくとも一つのセンサは地磁気センサを含み、
前記地磁気センサは前記基板の前記第１面の端部周辺に実装される、請求項６〜９のいずれか一項に記載の発光装置。
【請求項１１】
前記制御部は、前記無線信号の強度に基づき前記駆動部を制御する、請求項２〜１０のいずれか一項に記載の発光装置。
【請求項１２】
前記少なくとも一つのセンサは加速度センサ及び地磁気センサを含み、
前記受信部は、前記加速度センサの検知結果及び前記地磁気センサの検知結果を無線送信する送信機能を有する、請求項２〜１１のいずれか一項に記載の発光装置。
【発明の詳細な説明】
【技術分野】
【０００１】
本発明は、発光装置に関する。
【背景技術】
【０００２】
イベント会場の観客が携帯することで発光によってイベントの演出効果を高めることができる発光装置が種々開発されている。例えば、特許文献１は、イベント会場の観客席において任意の光の模様を表現できる発光装置を開示している。
【先行技術文献】
【特許文献】
【０００３】
【特許文献１】特開２００３−３６９８１号公報
【発明の概要】
【発明が解決しようとする課題】
【０００４】
特許文献１で開示されている発光装置は、発光状態制御装置から送信される無線信号に基づきＬＥＤを発光させている。発光状態制御装置から無線信号がいつ送信されるか分からないため、特許文献１で開示されている発光装置は、装置内の受信機をイベント中ずっと無線信号が受信可能な状態にしておかなければならない。したがって、特許文献１で開示されている発光装置は、装置内の受信機の消費電力が大きいという問題を有している。
【０００５】
本発明は、消費電力が小さい発光装置を提供することを目的とする。
【課題を解決するための手段】
【０００６】
上記目的を達成するために、本発明に係る発光装置は、少なくとも一つの発光素子と、前記少なくとも一つの発光素子を駆動する駆動部と、少なくとも一つのセンサと、前記少なくとも一つのセンサの検知結果と発光パターンとの関係を記憶する記憶部を有し、前記少なくとも一つのセンサの検知結果に応じた前記発光パターンで前記少なくとも一つの発光素子が発光するように前記駆動部を制御する制御部と、を備える構成（第１の構成）とする。
【０００７】
また、上記第１の構成である発光装置において、無線信号を受信する受信部をさらに備え、前記制御部は、前記少なくとも一つのセンサの検知結果に基づき前記受信部を受信可能状態にする構成（第２の構成）であってもよい。
【０００８】
また、上記第２の構成である発光装置において、前記制御部は、前記受信部が前記無線信号を受信できた場合には前記無線信号に基づき前記駆動部を制御し、前記受信部が前記無線信号を受信できなかった場合には前記少なくとも一つのセンサの検知結果に基づき前記駆動部を制御する構成（第３の構成）であってもよい。
【０００９】
また、上記第２又は第３の構成である発光装置において、前記受信部は、受信した前記無線信号を他の発光装置に送信する送信機能を有する構成（第４の構成）であってもよい。
【００１０】
また、上記第２〜第４いずれかの構成である発光装置において、基板をさらに備え、前記駆動部、前記少なくとも一つのセンサ、及び前記制御部は、前記基板の第１面に実装され、前記受信部は、前記基板の前記第１面に対向する第２面に実装される構成（第５の構成）であってもよい。
【００１１】
また、上記第５の構成である発光装置において、電波を前記無線信号に変換するアンテナをさらに備え、前記アンテナは、前記基板の前記第２面に実装される構成（第６の構成）であってもよい。
【００１２】
また、上記第６の構成である発光装置において、前記基板の前記第２面において、前記アンテナの周囲にグランドパターンが形成される構成（第７の構成）であってもよい。
【００１３】
また、上記第７の構成である発光装置において、前記基板の前記第１面において、前記アンテナ及び前記グランドパターンに対向する領域には部品が実装されない構成（第８の構成）であってもよい。
【００１４】
また、上記第５〜第８いずれかの構成である発光装置において、前記少なくとも一つのセンサは加速度センサを含み、前記加速度センサは前記基板の前記第１面の略中央に実装される構成（第９の構成）であってもよい。
【００１５】
また、上記第６〜第９いずれかの構成である発光装置において、前記少なくとも一つのセンサは地磁気センサを含み、前記地磁気センサは前記基板の前記第１面の端部周辺に実装される構成（第１０の構成）であってもよい。
【００１６】
また、上記第２〜第１０いずれかの構成である発光装置において、前記制御部は、前記無線信号の強度に基づき前記駆動部を制御する構成（第１１の構成）であってもよい。
【００１７】
また、上記第２〜第１１いずれかの構成である発光装置において、前記少なくとも一つのセンサは加速度センサ及び地磁気センサを含み、前記受信部は、前記加速度センサの検知結果及び前記地磁気センサの検知結果を無線送信する送信機能を有する構成（第１２の構成）であってもよい。
【発明の効果】
【００１８】
本発明によれば、発光装置の消費電力を小さくすることができる。
【図面の簡単な説明】
【００１９】
【図１】第１実施形態に係る発光装置のブロック図
【図２】センサの検知結果と発光パターンとの関係を示す図
【図３】第１実施形態に係る発光装置の外観図
【図４】第２実施形態に係る発光装置のブロック図
【図５】マイクロコンピュータの動作例を示すフローチャート
【図６】マイクロコンピュータの他の動作例を示すフローチャート
【図７】無線信号の伝送例を示す図
【図８】無線信号の他の伝送例を示す図
【図９】部品を実装した状態の基板の上面図及び下面図
【図１０】部品を実装した状態の基板の上面図及び下面図
【図１１】位置検出システムの概略図
【発明を実施するための形態】
【００２０】
＜１．第１実施形態＞
図１は、第１実施形態に係る発光装置１０１（以下、発光装置１０１と称す）のブロック図である。発光装置１０１は、３つのＬＥＤ１Ａ〜１Ｃと、ＬＥＤ駆動回路２と、マイクロコンピュータ３（以下、マイコン３と称す）と、加速度センサ４Ａと、ジャイロセンサ４Ｂと、音センサ３Ｃと、を備える。発光装置１０１は、装置内部に設けられる電池（不図示）から出力される電力を用いて動作する。
【００２１】
ＬＥＤ１Ａ〜１Ｃは、同一種類のＬＥＤであってもよく、少なくとも一つが他と異なる種類のＬＥＤであってもよい。本実施形態では、ＬＥＤを３個設けたが、ＬＥＤの個数は３個以外であってもよい。また、本実施形態では、発光素子としてＬＥＤを用いたが、ＬＥＤ以外の発光素子を用いてもよい。
【００２２】
ＬＥＤ駆動回路２は、マイコン３の制御に基づきＬＥＤ１Ａ〜１Ｃを駆動する。
【００２３】
マイコン３は、加速度センサ４Ａの検知結果、ジャイロセンサ４Ｂの検知結果、及び音センサ４Ｃの検知結果を取得する。マイコン３は、センサの検知結果と発光パターンとの関係を不揮発的に記憶する不揮発性メモリ３１を有する。なお、本実施形態では不揮発性メモリを用いたが、発光装置１０１が製品出荷時から常時記憶部を動作させておくのであれば、不揮発性メモリの代わりに揮発性メモリを用いてもよい。
【００２４】
マイコン３は、加速度センサ４Ａの検知結果、ジャイロセンサ４Ｂの検知結果、及び音センサ４Ｃの検知結果に応じた発光パターンでＬＥＤ１Ａ〜１Ｃが発光するようにＬＥＤ駆動回路２を制御する。例えば、不揮発性メモリ３１が図２に示す内容を記憶していれば、発光装置１０１は３つの発光パターンで発光する。
【００２５】
第１の発光パターンでは、加速度センサ４Ａが所定値Ｖ１［g］(1g=9.80665m／s２)以上の加速度を検知し同時にジャイロセンサ４Ｂが所定値Ｖ２［rad／s］以上の角速度を検知していないことを発光開始のトリガーとして、ＬＥＤ１Ａが所定時間Ｔ１の間点灯する。
【００２６】
第２の発光パターンでは、加速度センサ４Ａが所定値Ｖ１［g］以上の加速度を検知し同時にジャイロセンサ４Ｂが所定値Ｖ２［rad／s］以上の角速度を検知したことを発光開始のトリガーとして、ＬＥＤ１Ａ及び１Ｂが所定時間Ｔ１の間点灯する。
【００２７】
第３の発光パターンでは、音センサ４Ｃが所定値Ｖ３［dB］以上の音圧レベルの音を検知したことを発光開始のトリガーとして、ＬＥＤ１Ｃが所定時間Ｔ２の間点滅する。所定時間Ｔ２は所定時間Ｔ１と同一であっても異なっていてもよい。
【００２８】
センサの種類、個数は本実施形態に限定されない。例えば、発光装置１０１をイベント会場の観客が携帯することで発光装置１０１の発光によってイベントの演出効果を高めるような利用形態においては、イベントの演出内容を考慮してセンサの種類、個数及び発光パターンを設計すればよい。
【００２９】
発光装置１０１は、特許文献１で開示されている発光装置とは異なり、無線信号を受信する受信部を備えていない構成であるため、特許文献１で開示されている発光装置よりも消費電力を小さくすることができる。
【００３０】
発光装置１０１の形状は特に限定されないが、ユーザーが携帯できる形状であることが望ましい。例えば、図３に示すように発光装置１０１をリストバンド型にすれば、ユーザーが発光装置１０１を容易に身につけることができる。
【００３１】
図３に示すリストバンド型の発光装置１０１は、筐体部Ｃ１と、第１のバンド部Ｂ１と、第２のバンド部Ｂ２と、を備える。ＬＥＤ１Ａ〜１Ｃ、ＬＥＤ駆動回路２、マイコン３、加速度センサ４Ａ、ジャイロセンサ４Ｂ、及び音センサ３Ｃは筐体部Ｃ１の内部に設けられる。第１のバンド部Ｂ１の筐体部Ｃ１側と反対側の端部と、第２のバンド部Ｂ２の筐体部Ｃ１側と反対側の端部とは、例えば面ファスナーによって互いに接続可能にすればよい。
【００３２】
図３に示すリストバンド型の発光装置１０１は、第１のバンド部Ｂ１及び第２のバンド部Ｂ２を筐体部Ｃ１から取り外すことができる構造であってもよい。第１のバンド部Ｂ１及び第２のバンド部Ｂ２を取り外して筐体部Ｃ１を例えばキーホルダ等として利用してもよい。
【００３３】
また、第１のバンド部Ｂ１及び第２のバンド部Ｂ２を筐体部Ｃ１から取り外すことができない構造とし、ＬＥＤ１Ａ〜１Ｃを筐体部Ｃ１内でなく第１のバンド部Ｂ１及び第２のバンド部Ｂ２の少なくとも一方に設けてよい。この場合、ＬＥＤ１Ａ〜１Ｃに接続される配線が筐体部Ｃ１から引き出される。
【００３４】
＜２．第２実施形態＞
図４は、第２実施形態に係る発光装置１０２（以下、発光装置１０２と称す）のブロック図である。図４において図１と同様の部分には同一の符号を付す。
【００３５】
発光装置１０２は、３つのＬＥＤ１Ａ〜１Ｃ、ＬＥＤ駆動回路２、マイコン３、加速度センサ４Ａ、ジャイロセンサ４Ｂ、及び音センサ３Ｃに加えて、受信回路５及びアンテナ６をさらに備える。発光装置１０２も発光装置１０１と同様に装置内部に設けられる電池（不図示）から出力される電力を用いて動作する。発光装置１０１の形状も発光装置１０１の形状と同様に特に限定されない。
【００３６】
アンテナ６は電波を無線信号に変換し、受信回路５はアンテナ６から受け取る無線信号を受信する。本実施形態では、受信回路５は無線信号送信システム２０１から送信される無線信号を受信する。
【００３７】
無線信号送信システム２０１は、イベント会場等に設けられるシステムであって、例えばパーソナルコンピュータ等によって構成される演出制御装置２０２と、演出制御装置２０２から出力される演出制御信号を無線信号に変換する複数の送信回路２０３と、送信回路２０３から出力される無線信号を電波に変換する複数のアンテナ２０４と、を備える。複数のアンテナ２０４はイベント会場等の各部に分散して配置される。
【００３８】
演出制御信号は発光装置１０２の発光タイミング及び発光パターンを制御するための信号である。演出制御装置２０２は、複数の送信回路２０３に同一の演出制御信号を出力してもよく、複数の送信回路２０３それぞれに応じた演出制御信号を出力してもよい。受信回路５と送信回路２０３とはペアリングを行うことによって通信を確立する。通信が確立されると、送信回路２０３から受信回路５への無線信号の伝送が可能になる。なお、本実施形態では電波による無線通信が用いられているが、電波による無線通信の代わりに光通信等の無線通信を用いてもよい。
【００３９】
図５は、マイコン３の動作例を示すフローチャートである。マイコン３は電池（不図示）から出力される電力を用いて動作を開始すると、図５に示すフローチャートの動作を実行する。図５に示すフローチャートの動作開始時には受信回路５は受信不可能状態になっている。
【００４０】
まずマイコン３は、加速度センサ４Ａの検知結果、ジャイロセンサ４Ｂの検知結果、及び音センサ４Ｃの検知結果が所定の条件（発光開始のトリガーとなる条件）を満たすか否かを判定する（ステップＳ１０）。
【００４１】
加速度センサ４Ａの検知結果、ジャイロセンサ４Ｂの検知結果、及び音センサ４Ｃの検知結果が所定の条件を満たしていなければ（ステップＳ１０のＮＯ）、ステップＳ１０に戻る。
【００４２】
一方、加速度センサ４Ａの検知結果、ジャイロセンサ４Ｂの検知結果、及び音センサ４Ｃの検知結果が所定の条件を満たしていれば（ステップＳ１０のＹＥＳ）、マイコン３は、受信回路５を所定時間Ｔ３の間受信可能状態にする（ステップＳ２０）。所定時間Ｔ３は、上述した所定時間Ｔ１及びＴ２よりも短い時間に設定することが望ましい。
【００４３】
ステップＳ２０に続くステップＳ３０において、マイコン３は、受信回路５が無線信号を受信できたか否かを判定する。
【００４４】
受信回路５が無線信号を受信できていれば（ステップＳ３０のＹＥＳ）、マイコン３は無線信号に基づきＬＥＤ駆動回路２を制御し（ステップＳ４０）、その後ステップＳ１０に戻る。これにより、発光装置１０２は正確な発光タイミング及び発光パターンで発光する。
【００４５】
一方、受信回路５が無線信号を受信できていなければ（ステップＳ３０のＮＯ）、マイコン３は、加速度センサ４Ａの検知結果、ジャイロセンサ４Ｂの検知結果、及び音センサ４Ｃの検知結果に基づき不揮発性メモリ３１に記憶されている関係に従ってＬＥＤ駆動回路２を制御し（ステップＳ５０）、その後ステップＳ１０に戻る。これにより、発光装置１０２は無線信号を受信できない状況下であっても発光する。
【００４６】
発光装置１０２は、受信回路５が受信可能状態である期間を限定しているので、特許文献１で開示されている発光装置よりも消費電力を小さくすることができる。
【００４７】
図６は、マイクロコンピュータの他の動作例を示すフローチャートである。図６に示すフローチャートは、ステップＳ３５が追加されている点で図５に示すフローチャートと異なり、それ以外の点では図５に示すフローチャートと同様である。なお、マイコン３が図６に示すフローチャートの動作を実行する場合、受信した無線信号を他の発光装置に送信する送信機能を受信回路５が有する構成とする。
【００４８】
受信回路５が無線信号を受信できていれば（ステップＳ３０のＹＥＳ）、マイコン３は受信回路５に無線信号を送信させ（ステップＳ３５）、その後ステップＳ４０に移行する。
【００４９】
マイコン３が図６に示すフローチャートの動作を実行する場合、例えば正確な発光タイミング及び発光パターンで発光する発光装置１０２を増やすことができる。例えば図７に示すように、発光装置１０２＿３が無線信号伝送システム２０１から送信される無線信号を受信できない位置に存在している場合でも、発光装置１０２＿３の周囲に存在する発光装置１０２＿２から送信される無線信号を発光装置１０２＿３が受信できれば、発光装置１０２＿３は正確な発光タイミング及び発光パターンで発光することができる。
【００５０】
マイコン３が図６に示すフローチャートの動作を実行する場合、例えば無線信号伝送システム２０１の通信量を少なくすることができるので、無線信号伝送システム２０１の処理負荷を軽減することができる。例えば図８に示すように、無線信号伝送システム２０１が一部の発光装置（発光装置１０２＿１〜１０２＿３）に無線信号を送信し、他の発光装置（発光装置１０２＿４〜１０２＿９）は一部の発光装置から送信される無線信号を受信するようにすればよい。各受信回路５のＩＤとイベント会場等の観客席とを関連づけておくことで、無線信号伝送システム２０１が無線信号を送信する一部の発光装置を分散して配置することが容易になる。
【００５１】
＜３．基板上の部品配置＞
上述した発光装置１０１及び１０２では各種部品を支持する支持部材が必要となる。支持部材としては、例えば基板が用いられる。以下、発光装置１０２が基板７を備える場合における基板上の部品配置例について説明する。ただし、発光装置１０２のジャイロセンサ４Ｂ及び音センサ４Ｃの代わりに地磁気センサ４Ｄを用いた場合を例に挙げて説明を行う。
【００５２】
図９に示すように、ＬＥＤ駆動回路２、マイコン３、加速度センサ４Ａ、及び地磁気センサ４Ｄは基板７の第１面Ｆ１に実装され、受信回路５及びアンテナ６は基板７の第１面Ｆ１に対向する第２面に実装されることが望ましい。なお、図９では、ＬＥＤ駆動回路２及びマイコン３が基板７の長手方向に沿って並んで配置されているが、例えば図１０に示すようにＬＥＤ駆動回路２及びマイコン３が基板７の短手方向に沿って並んで配置されてもよい。
【００５３】
ＬＥＤ駆動回路２、マイコン３、加速度センサ４Ａ、及び地磁気センサ４Ｄと受信回路５とが基板７の異なる面に実装されるので、ＬＥＤ駆動回路２、マイコン３、加速度センサ４Ａ、及び地磁気センサ４Ｄが受信回路５から発せられる熱の影響を受け難くなる。また、ＬＥＤ駆動回路２、マイコン３、加速度センサ４Ａ、及び地磁気センサ４Ｄとアンテナ６とが基板７の異なる面に実装されるので、ＬＥＤ駆動回路２、マイコン３、加速度センサ４Ａ、及び地磁気センサ４Ｄがアンテナ６から放射される電磁波及び受信回路５の高周波動作により発生したノイズの影響を受け難くなる。
【００５４】
また図９に示すように、基板７の第２面Ｆ２において、アンテナ６の周囲にグランドパターンＧＰが形成されることが望ましい。これにより、アンテナ６の感度を向上させることができる。
【００５５】
また図９に示すように、加速度センサ４Ａは基板７の第１面Ｆ１の略中央に実装されることが望ましい。これにより、基板７の変位と加速度センサ４Ａの変位との一体化を図ることができるので、加速度センサ４Ａの検知精度を高くすることができる。
【００５６】
基板７は、第１面Ｆ１及び第２面Ｆ２に垂直な方向から見ると、第１角部７１〜第４角部７４を有する矩形形状である。このため、矩形形状の第１角部７１と第３角部７３とを結ぶ第１対角線と、矩形形状の第２角部７２と第４角部７４とを結ぶ第２対角線との交点が、第１面Ｆ１及び第２面Ｆ２に垂直な方向から見て加速度センサ４Ａ内に収まるようにすることで、加速度センサ４Ａの検知精度を高くすることができる。
【００５７】
また図９に示すように、地磁気センサ４Ｄは基板７の端部周辺に実装されることが望ましい。言い換えると、地磁気センサ４Ｄは基板７の第１面Ｆ１の略中央周辺に実装されないことが望ましい。これにより、地磁気センサ４Ｄとアンテナ６との距離を長くすることが可能となる。例えば、地磁気センサ４Ｄは第１角部７１〜第４角部７４のうちアンテナ６から離れている２つの角部である第１角部７１及び第２角部７２のいずれか（図９では第１角部７１）の近傍に配置するとよい。
【００５８】
また図９に示すように、基板７の第１面Ｆ１において、アンテナ６及びアンテナ６の周囲に形成されるグランドパターンＧＰに対向する領域Ｒ１には部品が実装されないことが望ましい。領域Ｒ１に部品が実装されると、アンテナ６の特性が悪化するからである。
【００５９】
＜４．その他＞
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００６０】
例えば、発光開始のトリガーとなるセンサの検知結果が得られる予兆があった場合に、所定時間の間センサのサンプリング周波数を高くしてもよい。これにより、センサの消費電力を抑えながら、発光開始のトリガーとなるセンサの検知結果を高精度に取得することができる。例えば、音センサ４Ｃが所定値Ｖ３［dB］以上の音圧レベルの音を検知したことが発光開始のトリガーになる場合、音センサ４Ｃが所定値Ｖ４（＜Ｖ３）［dB］の音圧レベルの音を検知した時点で、マイコン３が音センサ４Ｃのみのサンプリング周波数又は音センサ４Ｃを含む全てのセンサの各サンプリング周波数を高くすればよい。
【００６１】
例えば、発光装置１０２のマイコン３が、受信回路５によって受信される無線信号の強度に基づきＬＥＤ駆動回路２を制御してもよい。この場合、マイコン３が所定の周期で受信回路５を所定時間の間受信可能状態にすることが望ましい。例えば、無線信号の強度が閾値以下になった場合、無線信号送信システム２０１との通信が可能なエリア内から発光装置１０２が当該エリアの外に移動する可能性が高い。
【００６２】
無線信号送信システム２０１との通信が可能なエリア内から発光装置１０２が当該エリアの外に移動することを防止することで、当該エリア外への無断持ち出しを防止することができるので、例えば盗難防止に応用することができる。例えば、無線信号の強度が閾値以下になった場合に、ＬＥＤ１Ａ〜１Ｃを強く発光させて異常が発生していることを発光装置１０２の周囲にいる人に報知するようにすればよい。
【００６３】
また、無線信号送信システム２０１の方でもペアリングの際に受信回路５から送られてくる無線信号の強度を受信回路５のＩＤ毎にモニターすることで、無線信号送信システム２０１との通信が可能なエリア内から当該エリアの外に移動する可能性が高い発光装置１０２を検知することができる。
【００６４】
例えば、発光装置１０２を位置検出システムの一部として利用してもよい。この場合、発光装置１０２はジャイロセンサ４Ｂ及び音センサ４Ｃの代わりに又は加速度センサ４Ａ、ジャイロセンサ４Ｂ、及び音センサ４Ｃに加えて地磁気センサ４Ｄを備える構成とする。また、加速度センサ４Ａの検知結果及び地磁気センサ４Ｄの検知結果を無線信号送信システム２０１に送信する送信機能を受信回路５が有する構成とする。さらに、マイコン３が所定の周期で受信回路５を所定時間の間受信可能状態にすることが望ましい。
【００６５】
位置検出システムは、例えば図１１に示すように、発光装置１０２、無線信号送信システム２０１、及びスマートフォン３０１によって構成される。スマートフォン３０１は、ＧＰＳによる位置検出機能を有しているが、屋内などではＧＰＳによる位置検出ができない。そこで、無線信号送信システム２０１は、ペアリングの際に受信回路５から送られてくる無線信号に対応する電波を受信するアンテナ２０４の位置と、ペアリングの際に受信回路５から送られてくる無線信号の強度とによって、発光装置１０２の概略位置を把握する。さらに、無線信号送信システム２０１は、発光装置１０２から送られている加速度センサ４Ａの検知結果から発光装置１０２の移動量を推測し、発光装置１０２から送られている地磁気センサ４ｄの検知結果から発光装置１０２の移動方位を推測し、発光装置１０２の概略位置と推測した発光装置１０２の移動量及び移動方向とを用いて発光装置１０２の位置を検出し、その検出結果をスマートフォン３０１からの問合せに応じてスマートフォン３０１に送信する。
【００６６】
例えば、本明細書中に示される複数の実施形態及び変形例は可能な範囲で組み合わせて実施されてよい。
【符号の説明】
【００６７】
１Ａ〜１Ｃ  ＬＥＤ
２  ＬＥＤ駆動回路
３  マイクロコンピュータ
４Ａ  加速度センサ
４Ｂ  ジャイロセンサ
４Ｃ  音センサ
４Ｄ  地磁気センサ
５  受信回路
６  アンテナ
７  基板
３１  不揮発性メモリ
１０１  第１実施形態に係る発光装置
１０２  第２実施形態に係る発光装置
【図１】
2020042895.tif 000003
【図２】
2020042895.tif 000004
【図３】
2020042895.tif 000005
【図４】
2020042895.tif 000006
【図５】
2020042895.tif 000007
【図６】
2020042895.tif 000008
【図７】
2020042895.tif 000009
【図８】
2020042895.tif 000010
【図９】
2020042895.tif 000011
【図１０】
2020042895.tif 000012
【図１１】
2020042895.tif 000013